(57)【要約】【課題】ディスク状記録媒体を十分に使用不能に処理することのできるハードディスク及びその制御方法を提供する。【解決手段】外部から処理指示信号を受信すると、処理手段により磁性面２０６の記録領域をディスク状記録媒体の回転にほぼ期して使用不能に処理させることにより、全ての記録領域が読み出し不能もしくは書き込み不能になるので、ディスク状記録媒体を十分に使用不能に処理することができる。これにより、情報の漏洩を防止する効果を奏する。【選択図】図１
2007335046.tif 000002
【特許請求の範囲】
【請求項１】
ディスク状記録媒体と、該ディスク状記録媒体の磁性面を使用不能に処理するための処理手段とを有するハードディスクにおいて、
外部から処理指示信号を受信すると、前記処理手段により前記磁性面の記録領域を前記ディスク状記録媒体の回転にほぼ同期して使用不能にさせる受信手段を備えたことを特徴とするハードディスク。
【請求項２】
前記処理手段は、前記ディスク状記録媒体を逆回転させる逆回転機構と、
前記磁性面と接触して破壊処理するための破壊刃と、
前記破壊刃が取り付けられ前記ディスク状記録媒体の逆回転時に前記磁性面の記録領域と前記破壊刃とが前記ディスク状記録媒体の回転にほぼ同期するように前記磁性面上を横切るヘッドとを備えたことを特徴とする請求項１記載のハードディスク。
【請求項３】
前記処理手段は、前記ディスク状記録媒体の回転軸を中心軸とし前記ディスク状記録媒体の回転方向が書き込み時もしくは読み出し時の回転方向であるときには回転せず逆方向の時には回転するクラッチ内蔵ギヤと、
前記クラッチ内蔵ギヤを逆回転させるための逆回転用ギヤと、
前記逆回転用ギヤに歯合するギヤを有するモータと、
前記モータのギヤに歯合し前記モータの出力軸の回転軸方向と同一回転方向に減速する減速ギヤ列と、
前記減速ギヤ列に歯合すると共に中心軸が前記回転軸と平行なヘッド側ギヤと、
前記磁性面と接触して破壊処理するための破壊刃と、
前記破壊刃が取り付けられ前記ヘッド側ギヤの回転軸に基部が固定され前記ディスク状記録媒体の中心まで延出し、破壊処理時に前記破壊刃と前記磁性面の記録領域とが前記ディスク状記録媒体の回転にほぼ同期するように横切る長尺状のヘッドとを備えたことを特徴とする請求項１記載のハードディスク。
【請求項４】
前記処理手段は、前記ディスク状記録媒体を逆回転させる逆回転機構と、
前記磁性面をコーティング処理するコーティング剤、腐食処理する溶液、もしくは接着剤を塗布するためのノズルと、
前記ノズルが取り付けられ前記ディスク状記録媒体の逆回転時に前記磁性面の記録領域と前記ノズルとが前記ディスク状記録媒体の回転にほぼ同期するように前記磁性面上を横切るヘッドとを備えたことを特徴とする請求項１記載のハードディスク。
【請求項５】
前記処理手段は、前記ディスク状記録媒体の回転軸を中心軸とし前記ディスク状記録媒体の回転方向が書き込み時もしくは読み出し時の回転方向であるときには回転せず逆方向の時には回転するクラッチ内蔵ギヤと、
前記クラッチ内蔵ギヤを逆回転させるための逆回転用ギヤと、
前記逆回転用ギヤに歯合するギヤを有するモータと、
前記モータのギヤに歯合し前記モータの出力軸の回転方向と同一回転方向に減速する減速ギヤ列と、
前記減速ギヤ列に歯合すると共に中心軸が前記回転軸と平行なヘッド側ギヤと、
前記磁性面をコーティング処理するコーティング剤、腐食処理する溶液、もしくは接着剤を塗布するためのノズルと、
前記ノズルが取り付けられ前記ヘッド側ギヤの回転軸に基部が固定され前記ディスク状記録媒体の中心まで延出し、塗布時に前記ノズルと前記磁性面の記録領域とが前記ディスク状記録媒体の回転にほぼ同期するように横切る長尺状のヘッドとを備えたことを特徴とする請求項１記載のハードディスク。
【請求項６】
前記各ギヤは、前記磁性面の処理動作において、前記破壊刃もしくは前記ノズルと前記ディスク状記録媒体の全トラックと接触するようにギヤ数及びギヤ比が設定されていることを特徴とする請求項３または５記載のハードディスク。
【請求項７】
停電時に前記磁性面の処理動作を行うためのバッテリーを備えたことを特徴とする請求項１から６のいずれか１項記載のハードディスク。
【請求項８】
ディスク状記録媒体と、該ディスク状記録媒体の磁性面を使用不能に処理する処理手段とを有するハードディスクの制御方法において、
外部から処理指示信号を受信すると、前記処理手段により前記磁性面の記録領域を前記ディスク状記録媒体の回転にほぼ同期して処理させることを特徴とするハードディスクの制御方法。
【請求項９】
ディスク状記録媒体と、該ディスク状記録媒体の磁性面を使用不能に処理する処理手段とを有するハードディスクの制御方法において、
受信手段が外部からの処理指示信号を受信すると、前記磁性面を逆方向に回転させると共に磁性面破壊用のモータへの電源供給を開始し、
前記モータは、電源が供給されると、回転駆動力を使用して、処理手段が取り付けられたヘッドを徐々に磁性面上を横切らせるることにより前記磁性面の記録領域を使用不能に処理することを特徴とするハードディスクの制御方法。
【発明の詳細な説明】
【技術分野】
【０００１】
本発明は、ディスク状記録媒体と、ディスク状記録媒体の磁性面を使用不能に処理する処理手段とを有するハードディスク及びその制御方法に関する。
【背景技術】
【０００２】
昨今の情報漏洩問題では、端末の盗難や置忘れなどの端末の紛失により、第三者にハードディスク内の情報が漏洩してしまう問題が多々発生している。
従来の対策として、ハードディスクからの情報漏洩防止は、ＩＤ、パスワードによる情報漏洩防止や、データの暗号化によって行われていた。
しかし、従来の技術では、ＩＤやパスワードの流出、他の端末にハードディスクを接続し、スレーブディスクとして端末に認識させることにより、データが読み取られる問題があった。
このため、ハードディスクのディスク状記録媒体（プラッタとも言う）そのものを破壊することが行われるようになった（例えば、特許文献１、２参照）。
【特許文献１】特開２００５−１２２８５５号公報
【特許文献２】特開２００５−１５８１７０号公報
【発明の開示】
【発明が解決しようとする課題】
【０００３】
しかしながら、前述した従来技術ではディスク状記録媒体の破壊処理が不十分であった。
そこで、本発明の目的は、上記課題を解決すべく、ディスク状記録媒体を十分に使用不能に処理することのできるハードディスク及びその制御方法を提供することにある。
【課題を解決するための手段】
【０００４】
上記課題を解決するため、本発明の請求項１記載の発明は、ディスク状記録媒体と、該ディスク状記録媒体の磁性面を使用不能に処理するための処理手段とを有するハードディスクにおいて、外部から処理指示信号を受信すると、前記処理手段により前記磁性面の記録領域を前記ディスク状記録媒体の回転にほぼ同期して使用不能にさせる受信手段を備えたことを特徴とする。
【０００５】
請求項２記載の発明は、請求項１記載の発明において、前記処理手段は、前記ディスク状記録媒体を逆回転させる逆回転機構と、前記磁性面と接触して破壊処理するための破壊刃と、前記破壊刃が取り付けられ前記ディスク状記録媒体の逆回転時に前記磁性面の記録領域と前記破壊刃とが前記ディスク状記録媒体の回転にほぼ同期するように前記磁性面上を横切るヘッドとを備えたことを特徴とする。
【０００６】
請求項３記載の発明は、請求項１記載の発明において、前記処理手段は、前記ディスク状記録媒体の回転軸を中心軸とし前記ディスク状記録媒体の回転方向が書き込み時もしくは読み出し時の回転方向であるときには回転せず逆方向の時には回転するクラッチ内蔵ギヤと、前記クラッチ内蔵ギヤを逆回転させるための逆回転用ギヤと、前記逆回転用ギヤに歯合するギヤを有するモータと、前記モータのギヤに歯合し前記モータの出力軸の回転軸方向と同一回転方向に減速する減速ギヤ列と、前記減速ギヤ列に歯合すると共に中心軸が前記回転軸と平行なヘッド側ギヤと、前記磁性面と接触して破壊処理するための破壊刃と、前記破壊刃が取り付けられ前記ヘッド側ギヤの回転軸に基部が固定され前記ディスク状記録媒体の中心まで延出し、破壊処理時に前記破壊刃と前記磁性面の記録領域とが前記ディスク状記録媒体の回転にほぼ同期するように横切る長尺状のヘッドとを備えたことを特徴とする。
【０００７】
請求項４記載の発明は、請求項１記載の発明において、前記処理手段は、前記ディスク状記録媒体を逆回転させる逆回転機構と、前記磁性面をコーティング処理するコーティング剤、腐食処理する溶液、もしくは接着剤を塗布するためのノズルと、前記ノズルが取り付けられ前記ディスク状記録媒体の逆回転時に前記磁性面の記録領域と前記ノズルとが前記ディスク状記録媒体の回転にほぼ同期するように前記磁性面上を横切るヘッドとを備えたことを特徴とする。
【０００８】
請求項５記載の発明は、請求項１記載の発明において、前記処理手段は、前記ディスク状記録媒体の回転軸を中心軸とし前記ディスク状記録媒体の回転方向が書き込み時もしくは読み出し時の回転方向であるときには回転せず逆方向の時には回転するクラッチ内蔵ギヤと、前記クラッチ内蔵ギヤを逆回転させるための逆回転用ギヤと、前記逆回転用ギヤに歯合するギヤを有するモータと、前記モータのギヤに歯合し前記モータの出力軸の回転方向と同一回転方向に減速する減速ギヤ列と、前記減速ギヤ列に歯合すると共に中心軸が前記回転軸と平行なヘッド側ギヤと、前記磁性面をコーティング処理するコーティング剤、腐食処理する溶液、もしくは接着剤を塗布するためのノズルと、前記ノズルが取り付けられ前記ヘッド側ギヤの回転軸に基部が固定され前記ディスク状記録媒体の中心まで延出し、塗布時に前記ノズルと前記磁性面の記録領域とが前記ディスク状記録媒体の回転にほぼ同期するように横切る長尺状のヘッドとを備えたことを特徴とする。
【０００９】
請求項６記載の発明は、請求項３または５記載の発明において、前記各ギヤは、前記磁性面の処理動作において、前記破壊刃もしくは前記ノズルと前記ディスク状記録媒体の全トラックと接触するようにギヤ数及びギヤ比が設定されていることを特徴とする。
【００１０】
請求項７記載の発明は、請求項１から６のいずれか１項記載の発明において、停電時に前記磁性面の処理動作を行うためのバッテリーを備えたことを特徴とする。
【００１１】
請求項８記載の発明は、ディスク状記録媒体と、該ディスク状記録媒体の磁性面を使用不能に処理する処理手段とを有するハードディスクの制御方法において、外部から処理指示信号を受信すると、前記処理手段により前記磁性面の記録領域を前記ディスク状記録媒体の回転にほぼ同期して処理させることを特徴とする。
【００１２】
請求項９記載の発明は、ディスク状記録媒体と、該ディスク状記録媒体の磁性面を使用不能に処理する処理手段とを有するハードディスクの制御方法において、受信手段が外部からの処理指示信号を受信すると、前記磁性面を逆方向に回転させると共に磁性面破壊用のモータへの電源供給を開始し、前記モータは、電源が供給されると、回転駆動力を使用して、処理手段が取り付けられたヘッドを徐々に磁性面上を横切らせるることにより前記磁性面の記録領域を使用不能に処理することを特徴とする。
【発明の効果】
【００１３】
本発明によれば、外部から処理指示信号を受信すると、処理手段により磁性面の記録領域をディスク状記録媒体の回転にほぼ同期して使用不能に処理させることにより、全ての記録領域が読み出し不能もしくは書き込み不能になるので、ディスク状記録媒体を十分に使用不能に処理することができる。これにより、情報の漏洩を防止する効果を奏する。
【発明を実施するための最良の形態】
【００１４】
本発明の特徴は、パーソナルコンピュータ等に用いられるハードディスクにおいて、処理指示信号により、ハードディスクの磁性面を使用不能に処理することで、データの読み取りが出来なくなる事にある。
【００１５】
本発明に係るハードディスクの一実施の形態（請求項１）は、ディスク状記録媒体と、ディスク状記録媒体の磁性面を使用不能に処理するための処理手段とを有するハードディスクにおいて、外部から処理指示信号を受信すると、処理手段により磁性面の記録領域をディスク状記録媒体の回転にほぼ同期して使用不能にさせる受信手段を備えたことを特徴とする。
【００１６】
上記構成によれば、外部から処理指示信号を受信すると、処理手段により磁性面の記録領域をディスク状記録媒体の回転にほぼ同期して使用不能に処理させることにより、全ての記録領域が読み出し不能もしくは書き込み不能になるので、ディスク状記録媒体を十分に使用不能に処理することができる。
【００１７】
本発明に係るハードディスクの他の実施の形態（請求項２）は、上記構成に加え、処理手段は、ディスク状記録媒体を逆回転させる逆回転機構と、磁性面と接触して破壊処理するための破壊刃と、破壊刃が取り付けられディスク状記録媒体の逆回転時に磁性面の記録領域と破壊刃とがディスク状記録媒体の回転にほぼ同期するように磁性面上を横切るヘッドとを備えたことを特徴とする。
【００１８】
上記構成によれば、ディスク状記録媒体の逆回転時に磁性面の記録領域と破壊刃とがディスク状記録媒体の回転にほぼ同期するように磁性面上を横切ることにより、全ての記録領域が読み出し不能もしくは書き込み不能になるので、ディスク状記録媒体を十分に使用不能に処理することができる。
【００１９】
本発明に係るハードディスクの他の実施の形態（請求項３）は、上記構成に加え、処理手段は、ディスク状記録媒体の回転軸を中心軸としディスク状記録媒体の回転方向が書き込み時もしくは読み出し時の回転方向であるときには回転せず逆方向の時には回転するクラッチ内蔵ギヤと、クラッチ内蔵ギヤを逆回転させるための逆回転用ギヤと、逆回転用ギヤに歯合するギヤを有するモータと、モータのギヤに歯合しモータの出力軸の回転軸方向と同一回転方向に減速する減速ギヤ列と、減速ギヤ列に歯合すると共に中心軸が回転軸と平行なヘッド側ギヤと、磁性面と接触して破壊処理するための破壊刃と、破壊刃が取り付けられヘッド側ギヤの回転軸に基部が固定されディスク状記録媒体の中心まで延出し、破壊処理時に破壊刃と磁性面の記録領域とがディスク状記録媒体の回転にほぼ同期するように横切る長尺状のヘッドとを備えたことを特徴とする。
【００２０】
上記構成によれば、ディスク状記録媒体の逆回転時に磁性面の記録領域と破壊刃とがディスク状記録媒体の回転にほぼ同期するように磁性面上を横切ることにより、全ての記録領域が読み出し不能もしくは書き込み不能になるので、ディスク状記録媒体を十分に使用不能に処理することができる。
【００２１】
本発明に係るハードディスクの他の実施の形態（請求項４）は、上記構成に加え、処理手段は、ディスク状記録媒体を逆回転させる逆回転機構と、磁性面をコーティング処理するコーティング剤、腐食処理する溶液、もしくは接着剤を塗布するためのノズルと、ノズルが取り付けられディスク状記録媒体の逆回転時に磁性面の記録領域とノズルとがディスク状記録媒体の回転にほぼ同期するように磁性面上を横切るヘッドとを備えたことを特徴とする。
【００２２】
上記構成によれば、ディスク状記録媒体の逆回転時に磁性面の記録領域とノズルとがディスク状記録媒体の回転にほぼ同期するように磁性面上を横切りながらコーティングもしくは腐食させることにより、全ての記録領域が読み出し不能もしくは書き込み不能になるので、ディスク状記録媒体を十分に使用不能に処理することができる。
【００２３】
本発明に係るハードディスクの他の実施の形態（請求項５）は、上記構成に加え、処理手段は、ディスク状記録媒体の回転軸を中心軸としディスク状記録媒体の回転方向が書き込み時もしくは読み出し時の回転方向であるときには回転せず逆方向の時には回転するクラッチ内蔵ギヤと、クラッチ内蔵ギヤを逆回転させるための逆回転用ギヤと、逆回転用ギヤに歯合するギヤを有するモータと、モータのギヤに歯合しモータの出力軸の回転方向と同一回転方向に減速する減速ギヤ列と、減速ギヤ列に歯合すると共に中心軸が回転軸と平行なヘッド側ギヤと、磁性面をコーティング処理するコーティング剤、腐食処理する溶液、もしくは接着剤を塗布するためのノズルと、ノズルが取り付けられヘッド側ギヤの回転軸に基部が固定されディスク状記録媒体の中心まで延出し、塗布時にノズルと磁性面の記録領域とがディスク状記録媒体の回転にほぼ同期するように横切る長尺状のヘッドとを備えたことを特徴とする。
【００２４】
上記構成によれば、ディスク状記録媒体の逆回転時に磁性面の記録領域とノズルとがディスク状記録媒体の回転にほぼ同期するように磁性面上を横切りながらコーティング処理、腐食処理、もしくは接着剤塗布させることにより、全ての記録領域が読み出し不能もしくは書き込み不能になるので、ディスク状記録媒体を十分に使用不能に処理することができる。
【００２５】
本発明に係るハードディスクの他の実施の形態（請求項６）は、上記構成に加え、各ギヤは、磁性面の処理動作において、破壊刃もしくはノズルとディスク状記録媒体の全トラックと接触するようにギヤ数及びギヤ比が設定されていることを特徴とする。
【００２６】
上記構成によれば、破壊刃もしくはノズルとディスク状記録媒体の全トラックと接触するようにギヤ数及びギヤ比が設定されていることにより、破壊刃もしくはノズルからの塗布物が全トラックを確実に破壊、コーティング処理、腐食処理、接着剤塗布させることができるので、ディスク状記録媒体を十分に使用不能に処理することができる。
【００２７】
本発明に係るハードディスクの他の実施の形態（請求項７）は、上記構成に加え、停電時に磁性面の処理動作を行うためのバッテリーを備えたことを特徴とする。
【００２８】
上記構成によれば、ハードディスクの不能処理中に停電が生じてもバッテリーからのエネルギーにより完全に不能処理することができる。
【００２９】
本発明に係るハードディスクの制御方法の一実施の形態（請求項８）は、ディスク状記録媒体と、ディスク状記録媒体の磁性面を使用不能に処理する処理手段とを有するハードディスクの制御方法において、外部から処理指示信号を受信すると、処理手段により磁性面の記録領域をディスク状記録媒体の回転にほぼ同期して処理させることを特徴とする。
【００３０】
上記構成によれば、外部から処理指示信号を受信すると、処理手段により磁性面の記録領域をディスク状記録媒体の回転にほぼ同期して処理させることにより、全ての記録領域が読み出し不能もしくは書き込み不能になるので、ディスク状記録媒体を十分に使用不能に処理することができる。
【００３１】
本発明に係るハードディスクの制御方法の他の実施の形態（請求項９）は、ディスク状記録媒体と、ディスク状記録媒体の磁性面を使用不能に処理する処理手段とを有するハードディスクの制御方法において、受信手段が外部からの処理指示信号を受信すると、磁性面を逆方向に回転させると共に磁性面破壊用のモータへの電源供給を開始し、モータは、電源が供給されると、回転駆動力を使用して、処理手段が取り付けられたヘッドを徐々に磁性面上を横切らせるることにより磁性面の記録領域を使用不能に処理することを特徴とする。
【００３２】
上記構成によれば、処理手段により磁性面の記録領域をディスク状記録媒体の回転にほぼ同期して処理させることにより、全ての記録領域が読み出し不能もしくは書き込み不能になるので、ディスク状記録媒体を十分に使用不能に処理することができる。
【００３３】
なお、上述した実施の形態は、本発明の好適な実施の形態の一例を示すものであり、本発明はそれに限定されることなく、その要旨を逸脱しない範囲内において、種々変形実施が可能である。
【実施例】
【００３４】
次に本発明に係るハードディスクの実施例について図１を参照して説明する。
図１は、本発明に係るハードディスクの制御方法を適用したハードディスクとしての情報漏洩対策自己破壊ハードディスクの概念図である。
〔実施例の構成の説明〕
図１を参照すると、情報漏洩対策自己破壊ハードディスク２０は、停電時に電源を供給するためのバッテリー２１と、処理指示信号としての破壊指示信号を受信する破壊指示信号受信部２２と、磁性面物理破壊用ヘッド起動兼磁性面回転モータ２３と、磁性面物理破壊用ヘッド起動兼磁性面回転モータ２３により回動する磁性面物理破壊用ヘッド２４と、磁性面物理破壊用ヘッド２４に設けられた破壊刃２５と、外部に漏洩する前に破壊されるべき情報が記録されている磁性面２６と、磁性面物理破壊用ヘッド２４が接触すると磁性面破壊が終了したことを検出する磁性面破壊終了検出スイッチ２７とを含んで構成される。尚、磁性面物理破壊用ヘッド起動兼磁性面回転モータ２３の位置は図では磁性面物理破壊用ヘッド２４の基部に記載されているが、本発明はこれに限定されるものではなく、ギヤ列の配置などにより他の位置にあってもよい。
【００３５】
バッテリー２１は、二次電池からなり、外部からの電源供給により充電する機能と、破壊指示信号受信部２２と磁性面物理破壊用ヘッド起動兼磁性面回転モータ２３と磁性面物理破壊検出スイッチ２７とに電源を供給する機能と、破壊指示信号受信部２２からの磁性面物理破壊用ヘッド起動兼磁性面回転モータ２３ＰＯＷＥＲ  ＯＮ信号を受信する機能と、磁性面破壊終了検出スイッチ２７からのＰＯＷＥＲ  ＯＦＦ信号を受信する機能とを有する。
【００３６】
情報漏洩対策自己破壊ハードディスク２０は、外部（パーソナルコンピュータ等）からの電源供給がある場合は、外部供給電源を使用し、外部からの電源供給が断たれている場合（停電等）は、バッテリー２１に充電している電力を使用して、各パーツに電源供給する。
磁性面物理破壊用ヘッド起動兼磁性面回転モータ２３へ電源供給する機能は、磁性面物理破壊用ヘッド起動兼磁性面回転モータ２３ＰＯＷＥＲ  ＯＮ信号を受けた時のみ磁性面物理破壊用ヘッド起動兼磁性面回転モータ２３への電源の供給を開始し、磁性面破壊終了検出スイッチ２７からのＰＯＷＥＲ  ＯＦＦ信号を受信することにより、磁性面物理破壊用ヘッド起動兼磁性面回転モータ２３への電源供給を停止する。
【００３７】
破壊指示信号受信部２２は、バッテリー２１からの電源供給を受ける機能と、破壊指示信号を受信する機能と、破壊指示信号を受信時にバッテリー２１へ磁性面物理破壊用ヘッド起動兼磁性面回転モータ２３ＰＯＷＥＲ  ＯＮ信号を送信する機能とを有する。
【００３８】
磁性面物理破壊用ヘッド起動兼磁性面回転モータ２３は、バッテリー２１からの電源供給を受ける機能と、電源供給をうけた後、磁性面物理破壊ヘッド２４を磁性面２６上に移動（回動）させ、磁性面２６を回転させる機能とを有する。
磁性面物理破壊用ヘッド２４は、磁性面物理破壊用ヘッド起動兼磁性面回転モータ２３のモータ駆動の駆動力を利用し、磁性面２６上へ物理破壊用ヘッド２４を移動（回動）させる軸４６と、減速ギヤ列としてのピニオンギヤ３３、ギヤ３７、３８、３９、４０、４１、４２、４３、４４、４５との構成で物理破壊用ヘッド２４が磁性面２６の上に移動（回動）し、逆回転機構としてのピニオンギヤ３３、ギヤ３４、クラッチ内蔵ギヤ３５と、軸３６との構成で磁性面２６を逆回転させることにより、物理破壊用ヘッド２４に取り付けられている破壊刃２５が磁性面２６上を物理破壊する機能を有する。ギヤ３７とギヤ３８、ギヤ３９とギヤ４０、ギヤ４１とギヤ４２、ギヤ４３とギヤ４４はそれぞれ一体化されている。
尚、図ではギヤ３３〜４５の数は１０枚であるが、限定されるものではなく、磁性面の処理動作において、破壊刃２５と磁性面２６の全記録領域（トラック）とが接触するようにギヤ数及びギヤ比が設定されていればよい。
【００３９】
破壊刃２５は、磁性面物理破壊ヘッド２４に対して垂直（磁性面物理破壊ヘッドの裏側）かつ、磁性面２６に対向するように取り付けられており、磁性面２６を損傷できるよう、先の尖った形状をしており、磁性面２６を損傷できる材質（鉄など）で構成される。
磁性面２６は一般的なハードディスク（ディスク状記録媒体）のプラッタの構成を有する。
【００４０】
磁性面物理破壊用ヘッド起動兼磁性面回転モータ２３で回転させる磁性面２６の回転方向Ｐ１０は、通常利用時における磁性面２６の回転方向Ｐ６（Ｐ５）とは逆になっている。磁性面２６と同一回転軸３６にあるギヤ３５にはクラッチが内蔵されており、通常利用時の回転方向Ｐ６（Ｐ５）には回転軸３６を開放するので、磁性面２６と同一回転軸３６にあるギヤ３５自身は回転しない。
このため通常利用時には、磁性面２６の通常駆動系と、磁性面物理破壊用ヘッド起動兼磁性面回転モータ２３の駆動系とは隔離される構造となっている。
【００４１】
磁性面破壊終了検出スイッチ２７（例えば、マイクロスイッチ）は、磁性面物理破壊ヘッド２４との接触点にアクチュエータがあり、アクチュエータと磁性面物理破壊ヘッド２４とが接触した時、バッテリー２１にＰＯＷＥＲ  ＯＦＦ信号を送信する機能を有する。
【００４２】
〔実施例の動作の説明〕
次に図１に示した情報漏洩対策自己破壊ハードディスクの動作について図２、図３及び図４を参照して説明する。
図２は、図１に示した情報漏洩対策自己破壊ハードディスクの磁性面物理破壊用ヘッド２４の動作方向及び磁性面２６の回転方向についての説明図である。図３は、図１に示した情報漏洩対策自己破壊ハードディスクの一連動作のタイムチャートである。図４は、図１に示した情報漏洩対策自己破壊ハードディスクにおける、磁性面物理破壊用ヘッド起動兼磁性面回転用モータ２３が、磁性面物理破壊用ヘッド２４と磁性面２６を動作させる仕組みを示す図である。
本実施例では、破壊指示信号受信部２２は、バッテリー２１より常時、電源供給を受けているものとする。又、破壊指示信号は、操作者が無線を使用して破壊指示の信号を送出するものとするとする。
【００４３】
図４において、通常時はモータ３０が駆動してピニオンギヤ３１を矢印Ｐ４方向に回転し、ギヤ３２が矢印Ｐ５方向に回転して回転軸３６が矢印Ｐ５方向に回転し、磁性面２６が矢印Ｐ６方向に回転する。
これに対して外部から処理指示信号としての破壊指示信号を受信した場合について以下説明する。
図３において、操作者が破壊指示信号を図示しない無線送信機を用いて無線電波を送信すると（ＳＴＥＰ１）、破壊指示受信部２２が、無線電波を受信し、バッテリー２１に磁性面物理破壊用ヘッド起動兼磁性面回転モータ２３のＰＯＷＥＲ  ＯＮ信号を送信する（ＳＴＥＰ２）。
磁性面物理破壊用ヘッド起動兼磁性面回転モータ２３のＰＯＷＥＲ  ＯＮ信号を受信したバッテリー２１は、磁性面物理破壊用ヘッド起動兼磁性面回転用モータ２３への電源供給を開始する。（ＳＴＥＰ３）。
【００４４】
磁性面物理破壊用ヘッド起動兼磁性面回転用モータ２３は、バッテリー２１からの電源供給により、ピニオンギヤ３３を矢印Ｐ８方向への回転を開始し、ギヤ３７〜４５をそれぞれ矢印Ｐ１１〜Ｐ１５方向に回転させることにより、回転駆動力を使用して、磁性面物理破壊用ヘッド２４を徐々に矢印Ｐ２、Ｐ３方向（図２参照）に回動させると共にギヤ３４、３５を矢印Ｐ９、Ｐ１０方向に回転させることにより、回転軸３６を矢印Ｐ５方向とは逆方向に回転させて磁性面２６を矢印Ｐ６方向とは逆方向に回転させる（図３参照、ＳＴＥＰ４）。
【００４５】
磁性面物理破壊ヘッド２４の移動方向は、磁性面物理破壊ヘッド２４を駆動するためのギヤ４５の中心軸を回転軸として磁性面破壊終了検出スイッチ２７（図２参照）へ向かう弧を描く方向（綾印Ｐ２、Ｐ３）で、磁性面２６の回転方向は通常利用時における磁性面２６の回転方向（図２の矢印Ｐ１）とは逆である（図２参照）。
磁性面物理破壊用ヘッド２４は、破壊刃２５にて磁性面２６に干渉（接触）し、表面を損傷させる事により、磁性面２６の全面を物理破壊する。破壊刃２５と、磁性面２６の記録領域とが磁性面２６の回転とほぼ同期することにより、確実に磁性面２６が完全に破壊される（ＳＴＥＰ５）。
磁性面物理破壊ヘッド２４が回動して物理破壊終了検出スイッチ２７に接触することにより、物理破壊終了検出スイッチ２７がＯＮとなり、バッテリー２１にＰＯＷＥＲ  ＯＦＦ信号を送出する（ＳＴＥＰ６）。
バッテリー２１は、物理破壊終了検出スイッチ２７からのＰＯＷＥＲ  ＯＦＦ信号を受信することにより、磁性面物理破壊用ヘッド起動兼磁性面回転用モータ２３への電源供給を停止する（ＳＴＥＰ７）。
磁性面物理破壊用ヘッド起動兼磁性面回転用モータ２３は、バッテリー２１からの電源供給が無くなるため、モータ駆動が停止して終了する（ＳＴＥＰ８）。
【００４６】
尚、本実施例では、破壊指示信号受信部２２の破壊指示信号が無線電波の場合で説明したが、本発明はこれに限定されず、携帯電話の電波、赤外線、パーソナルコンピュータからの特殊信号等、ハードディスク外部から入力される破壊指示信号でも実現可能である。
【００４７】
又、本実施例では磁性面の物理破壊方法を破壊刃を用いた場合で説明しているが、本発明はこれに限定されるものではなく、溶液による磁性面のコーティングや腐食、接着剤のコーティングを行うノズルを用いてもよい（接着剤を用いた場合は、図示しないライナーにかかわらず読み取り／書き込み用のヘッドと磁性面とが接着することで使用不能となる）。
【産業上の利用可能性】
【００４８】
本発明は、ハードディスクを有するコンピュータ、携帯端末、サーバー、制御装置に利用することができる。
【図面の簡単な説明】
【００４９】
【図１】本発明に係るハードディスクの制御方法を適用したハードディスクとしての情報漏洩対策自己破壊ハードディスクの概念図である。
【図２】図１に示した情報漏洩対策自己破壊ハードディスクの磁性面物理破壊用ヘッド２４の動作方向及び磁性面２６の回転方向についての説明図である。
【図３】図１に示した情報漏洩対策自己破壊ハードディスクの一連動作のタイムチャートである。
【図４】図１に示した情報漏洩対策自己破壊ハードディスクにおける、磁性面物理破壊用ヘッド起動兼磁性面回転用モータ２３が、磁性面物理破壊用ヘッド２４と磁性面２６を動作させる仕組みを示す図である。
【符号の説明】
【００５０】
２０    情報漏洩対策自己破壊ハードディスク（ハードディスク）
２１    バッテリー
２２    破壊指示信号受信部
２３    磁性面物理破壊用ヘッド起動兼磁性面回転モータ（モータ）
２４    磁性面物理破壊用ヘッド
２５    破壊刃
２６    磁性面
２７    磁性面破壊終了検出スイッチ
３０    モータ
【図１】
2007335046.tif 000003
【図２】
2007335046.tif 000004
【図３】
2007335046.tif 000005
【図４】
2007335046.tif 000006